(57)【要約】【課題】イヤホン又はヘッドホンのコードが収納時に絡まったり、他の収納物に引っ掛かったりすることを防止するとともに、イヤホン又はヘッドホンを容易に取り外すことができるコード保持具を提供する。【解決手段】コード保持具１は、開閉可能であり、イヤホン１００のコードを保持し、互いに対向する位置に配置される一対の外装板１０と、一対の外装板１０の側縁を互いに回動可能に連結し、一対の外装板１０が互いに平行となる閉状態を維持するヒンジ部２０と、を備え、一対の外装板１０は、閉状態において、所定の間隔を空けて、それぞれ互いに対向する位置に配置される対向面１１０を有し、一対の外装板１０の対向面１１０の少なくとも一方に設けられ、弾性変形可能な柔軟性を有する素材で形成されたクッション部３０を更に備え、クッション部３０は、閉状態において、コードの少なくとも一部を挟持する。【選択図】図１
2015032838.tif 000002
【特許請求の範囲】
【請求項１】
開閉可能であり、イヤホン又はヘッドホンのコードを保持するコード保持具であって、
互いに対向する位置に配置される一対の外装板と、
一対の前記外装板の側縁を互いに回動可能に連結し、一対の前記外装板が互いに平行となる閉状態を維持するヒンジ部と、を備え、
一対の前記外装板は、前記閉状態において、所定の間隔を空けて、それぞれ互いに対向する位置に配置される対向面を有し、
一対の前記外装板の前記対向面の少なくとも一方に設けられ、弾性変形可能な柔軟性を有する素材で形成されたクッション部を更に備え、
前記クッション部は、前記閉状態において、前記コードの少なくとも一部を挟持するコード保持具。
【請求項２】
前記対向面は、第１辺と、前記第１辺に対向する位置で延びる第２辺と、前記第１辺及び前記第２辺の一端に連なる第３辺と、前記第１辺及び前記第２辺の他端に連なる第４辺と、を備え、
前記ヒンジ部は、前記第１辺側において、一対の前記外装板を、互いに連結し、
一対の前記外装板は、前記閉状態において、互いに前記第２辺、前記第３辺及び前記第４辺が前記所定の間隔を空けて配置され、
前記コードが保持された前記閉状態において、前記第２辺側から前記コードの一端を引っ張ることで、保持された前記コードを取り出すことができる請求項１に記載のコード保持具。
【請求項３】
前記ヒンジ部は、一対の前記外装板の互いの角度が所定角度となる開状態を維持し、
前記開状態において、一方の前記外装板に設けられた前記クッション部に携帯電子機器の底部が載置され、他方の前記外装板又は他方の前記外装板に設けられた前記クッション部で前記携帯電子機器の背面部を支持する請求項１又は２に記載のコード保持具。
【発明の詳細な説明】
【技術分野】
【０００１】
本発明は、コード保持具に関し、詳しくは、開閉可能であり、イヤホン又はヘッドホンのコードを保持するコード保持具に関する。
【背景技術】
【０００２】
従来より、携帯型音楽プレイヤ、スマートフォン、携帯電話、携帯型タブレット等の携帯電子機器にイヤホン又はヘッドホンを装着し、携帯電子機器から発声される音声を聞く。
【０００３】
このようなイヤホン又はヘッドホンは、使用者の耳に装着される本体と、この本体に連結されたコードと、このコードの端部に連結され携帯電子機器に接続されるジャックと、を備える。
【０００４】
このようなイヤホン又はヘッドホンは、未使用時には、例えば、使用者が持ち歩く鞄等に収納される。このとき、鞄等の中で、コードが絡まったり、他の収納物に引っ掛かったりし、使用時に直ぐに使用できない場合がある。
【０００５】
そこで、ジャック側取付手段を構成する第１、第２の面ファスナの折り畳みによる相互の押圧、または音声側取付手段を構成する第３、第４の面ファスナ相互の押圧によって、イヤホンにおけるジャック側のコードまたは音声側のコードのいずれか一方を固定し、コードの中間部分を所望の回数ベルト本体に巻付けた後、音声出力部側のコードまたはジャック側のコードの他方を、これに対応する取付手段によって固定するイヤホンのコード巻付け用ベルトが提案されている（特許文献１）。
このイヤホンのコード巻付け用ベルトによれば、イヤホンのジャック側及び音声出力側のコードを保持し、コードの中間部分をベルト本体に巻付けることで、収納時にイヤホンのコードが絡まったり、他の収納物に引っ掛かったりすることを防止できる。
【先行技術文献】
【特許文献】
【０００６】
【特許文献１】実用新案登録第３０６９６１０号公報
【発明の概要】
【発明が解決しようとする課題】
【０００７】
しかしながら、特許文献１のイヤホンのコード巻付け用ベルトは、巻き付けられたイヤホンを取り外す場合、まず、ジャック側取付手段または音声側取付手段のいずれか一方のファスナを取り外す。次にベルト本体に巻付けたコードをほどく。そして、最後に他方のファスナを取り外す。
このように、特許文献１のイヤホンのコード巻付け用ベルトは、イヤホンのコード巻付け用ベルトに巻き付けられたイヤホンを取り外すのに、複数の操作が必要であり、イヤホンを容易に取り外すことができなかった。
【０００８】
本発明は、イヤホン又はヘッドホンのコードが収納時に絡まったり、他の収納物に引っ掛かったりすることを防止するとともに、イヤホン又はヘッドホンを容易に取り外すことができるコード保持具を提供することを目的とする。
【課題を解決するための手段】
【０００９】
（１）  開閉可能であり、イヤホン又はヘッドホンのコードを保持するコード保持具であって、
互いに対向する位置に配置される一対の外装板と、
一対の前記外装板の側縁を互いに回動可能に連結し、一対の前記外装板が互いに平行となる閉状態を維持するヒンジ部と、を備え、
一対の前記外装板は、前記閉状態において、所定の間隔を空けて、それぞれ互いに対向する位置に配置される対向面を有し、
一対の前記外装板の前記対向面の少なくとも一方に設けられ、弾性変形可能な柔軟性を有する素材で形成されたクッション部を更に備え、
前記クッション部は、前記閉状態において、前記コードの少なくとも一部を挟持するコード保持具。
【００１０】
（１）の構成によれば、コード保持具は、開閉可能であり、イヤホン又はヘッドホンのコードを保持し、一対の外装板と、ヒンジ部と、一対のクッション部と、を備える。
一対の外装板は、互いに対向する位置に配置される。
ヒンジ部は、一対の外装板の側縁を互いに回動可能に連結し、一対の外装板が互いに平行となる閉状態を維持する。
また、一対の外装板は、閉状態において、所定の間隔を空けて、それぞれ互いに対向する位置に配置される対向面を有する。
クッション部は、一対の外装板の対向面の少なくとも一方に設けられ、弾性変形可能な柔軟性を有する素材で形成されている。
そして、クッション部は、閉状態において、コードの少なくとも一部を挟持する。
【００１１】
このような構成によれば、使用者は、イヤホン又はヘッドホンを収納するときには、コード保持具を開状態とし、イヤホン又はヘッドホンのコードを、一方の外装板やクッション部に巻き付ける。そして、使用者は、コード保持具を閉状態とし、クッション部によりコードの少なくとも一部を挟持させる。
また、使用者は、別の方法として、コード保持具を開状態とし、イヤホン又はヘッドホンのコードを、例えば、指に複数回巻き付け、環形状とし、この環形状としたコードを、一対の外装板やクッション部の間に配置し、コード保持具を閉状態とする。
【００１２】
これにより、一方の外装板やクッション部に巻き付けたコードや環形状としたコードがばらけることなく、イヤホン又はヘッドホンがコード保持具に保持される。
よって、イヤホン又はヘッドホンのコードが収納時に絡まったり、他の収納物に引っ掛かったりすることを防止できる。
【００１３】
次に、使用者は、イヤホン又はヘッドホンをコード保持具から取り外すときは、イヤホン又はヘッドホンがコード保持具に保持された閉状態のまま、例えば、コードの一端を引っ張る。これにより、クッション部は、コードが引っ張られた方向に弾性変形し、挟持したコードを開放する。そして、イヤホン又はヘッドホンは、コード保持具から取り外される。
これにより、使用者は、イヤホン又はヘッドホンをコード保持具から取り外すときは、単にコードの一端を引っ張るだけで、イヤホン又はヘッドホンをコード保持具から取り外すことができる。
よって、使用者は、コード保持具からイヤホン又はヘッドホンを容易に取り外すことができる。
【００１４】
したがって、イヤホン又はヘッドホンのコードが収納時に絡まったり、他の収納物に引っ掛かったりすることを防止するとともに、イヤホン又はヘッドホンを容易に取り外すことができるコード保持具を提供できる。
【００１５】
更に、近年、携帯電子機器に付属されたイヤホンに代え、より高音質で高価なイヤホンを使用する使用者も増えている。このようなイヤホンを使用する使用者は、コード保持具を開状態とし、イヤホンの本体を、一対の外装板やクッション部の間に配置し、コード保持具を閉状態とする。これにより、イヤホンの本体の保護も可能となり、収納時に高価なイヤホンの本体が破損するのを防止できる。
【００１６】
（２）  前記対向面は、第１辺と、前記第１辺に対向する位置で延びる第２辺と、前記第１辺及び前記第２辺の一端に連なる第３辺と、前記第１辺及び前記第２辺の他端に連なる第４辺と、を備え、
前記ヒンジ部は、前記第１辺側において、一対の前記外装板を、互いに連結し、
一対の前記外装板は、前記閉状態において、互いに前記第２辺、前記第３辺及び前記第４辺が前記所定の間隔を空けて配置され、
前記コードが保持された前記閉状態において、前記第２辺側から前記コードの一端を引っ張ることで、保持された前記コードを取り出すことができる（１）に記載のコード保持具。
【００１７】
（２）の構成によれば、外装板の対向面は、第１辺と、第１辺に対向する位置で延びる第２辺と、第１辺及び第２辺の一端に連なる第３辺と、第１辺及び第２辺の他端に連なる第４辺と、を備える。
また、ヒンジ部は、第１辺側において、一対の外装板を、互いに連結する。
また、一対の外装板は、閉状態において、互いに第２辺、第３辺及び第４辺が所定の間隔を空けて配置されている。
そして、コード保持具は、コードが保持された閉状態において、第２辺側からコードの一端を引っ張ることで、保持されたコードを取り出すことができる。
【００１８】
このような構成によれば、コード保持具は、一対の外装板は、互いに第２辺、第３辺及び第４辺が所定の間隔を空けて配置されている、即ち、ヒンジ部が設けられた辺以外の３つの辺側が開放されている。
これにより、使用者は、イヤホン又はヘッドホンを収納するときには、コード保持具を開状態とし、イヤホン又はヘッドホンのコードを、一方の外装板の第３辺及び第４辺で折り返し、巻き付けていく。
【００１９】
ここで、イヤホン又はヘッドホンには、コードの中間部分に、携帯電子機器のコントローラやマイクが設けられているものがある。このようなイヤホン又はヘッドホンの場合、外装板の第３辺及び第４辺にコードを巻き付けていくと、コントローラやマイクが第３辺又は第４辺に当り、第３辺又は第４辺で折り返せない場合がある。
このような場合、（２）の構成によれば、３つの辺側が開放されているので、使用者は、コードを、一旦、第２辺で外側又は内側に折って、第３辺又は第４辺にくる位置を調整することで、引き続き第３辺及び第４辺で折り返し、巻き付けていくことができる。
そして、使用者は、コード保持具を閉状態とし、一対のクッション部によりコードの少なくとも一部を挟持する。
【００２０】
また、使用者は、イヤホン又はヘッドホンをコード保持具から取り外すときは、イヤホン又はヘッドホンがコード保持具に保持された閉状態のまま、第２辺側からコードの一端を引っ張る。これにより、クッション部はコードが引っ張られた方向に弾性変形し、挟持したコードを開放し、コードは第３辺及び第４辺から第２辺側に順次ほぐれ、イヤホン又はヘッドホンはコード保持具から取り外される。
【００２１】
したがって、イヤホン又はヘッドホンのコードの中間部分に、携帯電子機器のコントローラやマイクが設けられていても、コードを適切に保持しつつ、イヤホン又はヘッドホンを容易に取り外すことができるコード保持具を提供できる。
【００２２】
（３）  前記ヒンジ部は、一対の前記外装板の互いの角度が所定角度となる開状態を維持し、
前記開状態において、一方の前記外装板に設けられた前記クッション部に携帯電子機器の側縁が載置され、他方の前記外装板又は他方の前記外装板に設けられた前記クッション部で前記携帯電子機器の背面部を支持する（１）又は（２）に記載のコード保持具。
【００２３】
ここで、携帯電子機器には、ディスプレイ等の表示部が設けられ、この表示部に時計や画像を表示するものがある。
このような携帯電子機器を使用する使用者には、表示部を見易い角度に携帯電子機器を立て掛けたいという要望がある。
【００２４】
（３）の構成によれば、ヒンジ部は、一対の外装板の互いの角度が所定角度となる開状態を維持する。
そして、コード保持具は、開状態において、一方の外装板に設けられたクッション部に携帯電子機器の側縁が載置され、他方の外装板又は他方の外装板に設けられたクッション部で携帯電子機器の背面部を支持する。
【００２５】
このような構成によれば、使用者は、移動時において、コード保持具によりイヤホン又はヘッドホンのコードを保持し、例えば、着席時において、コード保持具を開状態にし、表示部が見易い角度に携帯電子機器を、コード保持具に立て掛けることができる。
【発明の効果】
【００２６】
本発明によれば、イヤホン又はヘッドホンのコードが収納時に絡まったり、他の収納物に引っ掛かったりすることを防止するとともに、イヤホン又はヘッドホンを容易に取り外すことができるコード保持具を提供できる。
【図面の簡単な説明】
【００２７】
【図１】本発明の実施形態に係るコード保持具が閉状態において、イヤホンを保持している状態を示す図である。
【図２】前記実施形態に係るコード保持具が開状態において、携帯電子機器が立て掛けられている状態を示す図である。
【図３】前記実施形態に係るコード保持具の開状態における分解図である。
【図４】前記実施形態に係るコード保持具からイヤホンを取り出す方法を説明する図である。
【図５】前記実施形態に係るコード保持具にイヤホンのコードを図１に示す例とは異なる方法でイヤホンを保持している状態を示す図である。
【図６】前記実施形態に係るコード保持具にイヤホンのコードを図１に示す例とは異なる方法で巻き付け、イヤホンを保持している状態を示す図である。
【図７】前記実施形態の変形例に係るコード保持具に、携帯電子機器が収容され、閉状態において、イヤホンを保持している状態を示す図である。
【図８】図７中ＡＡ’線における前記実施形態の変形例に係るコード保持具の断面図を示す。
【発明を実施するための形態】
【００２８】
本発明の実施形態に係るコード保持具１について説明する。なお、以下の説明において、同一の構成には同一の符号を付し、その説明を省略又は簡略化する。
本発明の実施形態に係るコード保持具１の構成を図面に基づいて説明する。
図１は、本発明の実施形態に係るコード保持具１が閉状態において、イヤホン１００を保持している状態を示す図である。
図２は、前記実施形態に係るコード保持具１が開状態において、携帯電子機器２００が立て掛けられている状態を示す図である。
図３は、前記実施形態に係るコード保持具１の開状態における分解図である。
【００２９】
コード保持具１は、開閉可能であり、図１に示すように、イヤホン１００又はヘッドホン（図示無し）のコードを保持し、一対の外装板１０と、ヒンジ部２０（図２又は図３参照）と、一対のクッション部３０と、を備える。
【００３０】
一対の外装板１０は、互いに対向する位置に配置される。
具体的には、一対の外装板１０は、閉状態（図１参照）において、所定の間隔Ｓ（例えば、１０ｍｍ〜２０ｍｍ）を空けて、それぞれ互いに対向する位置に配置される対向面１１０を有する。
詳細には、外装板１０は、閉状態において、水平面に配置され対向面１１０を有する水平部１１と、水平部１１の側縁から延び、垂直面に配置された垂直部１２と、を備える。
【００３１】
図３に示すように、外装板１０の対向面１１０は、第１辺１１１と、第１辺１１１に対向する位置で延びる第２辺１１２と、第１辺１１１及び第２辺１１２の一端に連なる第３辺１１３と、第１辺１１１及び第２辺１１２の他端に連なる第４辺１１４と、を備える。
また、ヒンジ部は、第１辺１１１側において、一対の外装板１０を、互いに連結する。
また、一対の外装板１０は、閉状態において、互いに第２辺１１２、第３辺１１３及び第４辺１１４が所定の間隔Ｓ（図１参照）を空けて配置されている。
【００３２】
本実施形態おいて、水平部１１及び対向面１１０は、閉状態における平面視で四角形状に形成されているが、第１辺１１１、第２辺１１２、第３辺１１３及び第４辺１１４を備えれば、例えば、閉状態における平面視で八角形形状やキャラクタの外形を模した形状等の任意の形状とすることができる。この場合、第３辺１１３及び第４辺１１４は、任意の辺を介して、第１辺１１１及び第２辺１１２に連なる。
【００３３】
ヒンジ部２０は、一対の外装板１０の側縁を互いに回動可能に連結し、一対の外装板１０が互いに平行となる閉状態を維持する。
詳細には、ヒンジ部２０は、一対の外装板１０の垂直部１２にそれぞれ固定される一対の板部２１と、一対の板部２１の互いに対向する長辺を回動自在に連結するピン部２２と、一対の板部２１が互いに対面する方向に付勢する付勢部２３と、を備える。
一対の板部２１には、ピン部２２により連結された長辺の反対側の長辺において、それぞれ対向する位置に欠き込み２１１が形成されている。
付勢部２３は、弾性変形可能な素材で形成され、円弧形状に形成された円弧部２３１と、円弧部２３１の両端部においてそれぞれ内側に突出し、一対の板部２１の欠き込み２１１と係合する一対の爪部２３２と、を備える。
【００３４】
ヒンジ部２０は、上記構成により、ピン部２２により連結された一対の板部２１の互いの角度が、付勢部２３により規制される。
具体的には、付勢部２３は、一対の板部２１の互いの角度が１８０°から２６５°の範囲においては、一対の板部２１を互いの角度が小さくなる方向に付勢する。これにより、一対の板部２１がそれぞれ固定された一対の外装板１０は、各外装板１０の水平部１１の互いの角度が８５°より小さい範囲においては、互いの角度が小さくなる方向に付勢される。
【００３５】
また、付勢部２３は、一対の板部２１の互いの角度が所定角度（例えば、２６５°）となると、ピン部２２により連結された一対の板部２１の長辺が、付勢部２３の円弧部２３１の内面に当接し、一対の板部２１がこれ以上開かなくなる。即ち、ヒンジ部２０は、一対の板部２１がそれぞれ固定された一対の外装板１０の互いの角度が所定角度（例えば、８５°）となる開状態を維持する。
【００３６】
なお、上記の説明における付勢部２３によって規制される一対の板部２１の互いの角度は、一例であり、これらの角度は、付勢部２３の円弧部２３１の大きさや、板部２１の欠き込み２１１の大きさを変更することで、任意の角度とすることができる。
また、ヒンジ部２０は、上記構成に限らず、一対の外装板１０における各水平部１１の互いの角度を、０°及び４５°から９０°より小さい範囲の任意の角度で固定できれば、任意の構成とすることができる。
【００３７】
一対のクッション部３０は、一対の外装板１０の対向面１１０にそれぞれ設けられ、弾性変形可能な柔軟性を有する素材で形成されている。
各クッション部３０は、閉状態（図１参照）における平面視で対向面１１０と略同じ形状の外形を有し、所定の間隔Ｓの半分の寸法の厚さで形成されている。
なお、本実施形態において、クッション部３０は、一対の外装板１０の対向面１１０にそれぞれ設けているが、これに限らず、クッション部３０は、一対の外装板１０の対向面１１０のいずれか一方に設けられていればよい。
【００３８】
また、一対のクッション部３０は、弾性変形可能な柔軟性を有する素材を、表面の摩擦が小さい布状体で覆うこともできる。この場合、この布状体の表面に表れている繊維が延びる方向を、対向面１１０の第１辺１１１及び第２辺１１２と直交する方向に合わせる。
これにより、コード保持具１において、イヤホン１００又はヘッドホン（図示無し）のコードが保持された閉状態において、第２辺１１２側からコードを取り出す場合、スムースにコードを引き出すことができる。
【００３９】
上記の構成によれば、コード保持具１は、一対の外装板１０における各水平部１１の互いの角度が略０°である閉状態又は一対の外装板１０における各水平部１１の互いの角度が所定角度（例えば、８５°）である開状態を維持する。また、コード保持具１は、一対の外装板１０における各水平部１１の互いの角度が略０°から所定角度の間では、各水平部１１の互いの角度が略０°になる方向に付勢されている。
【００４０】
次に、本実施形態に係るコード保持具１の使用方法について説明する。
使用者は、イヤホン１００又はヘッドホン（図示無し）（以下、イヤホン１００等とも言う。）を収納するときには、コード保持具１を開状態とし、イヤホン１００等のコードを、一方の外装板１０及びクッション部３０に巻き付ける。そして、使用者は、コード保持具１を閉状態とし、一対のクッション部３０によりコードの少なくとも一部を挟持させる。これにより、図１に示す状態となる。
なお、クッション部３０が一対の外装板１０の対向面１１０のいずれか一方にしか設けられていない場合、使用者は、コード保持具１を閉状態とし、一方の外装板１０に設けられたクッション部３０と他方の外装板１０の対向面１１０とによりコードの少なくとも一部を挟持させる。
【００４１】
また、使用者は、別の方法として、コード保持具１を開状態とし、イヤホン１００等のコードを、例えば、指に複数回巻き付け、環形状とし、この環形状としたコードを、一対の外装板１０及びクッション部３０の間に配置し、コード保持具を閉状態とする。
【００４２】
これにより、一方の外装板１０及びクッション部３０に巻き付けたコード又は環形状としたコードがばらけることなく、イヤホン１００等がコード保持具１に保持される。
よって、イヤホン又はヘッドホンのコードが収納時に絡まったり、他の収納物に引っ掛かったりすることを防止できる。
【００４３】
次に、イヤホン１００等をコード保持具１から取り外す方法について説明する。
図４は、前記実施形態に係るコード保持具１からイヤホン１００を取り出す方法を説明する図である。
使用者は、イヤホン１００等をコード保持具１から取り外すときは、イヤホン１００等がコード保持具１に保持された閉状態のまま、図４に示す矢印の方向に、コードの一端を引っ張る。これにより、クッション部３０は、コードが引っ張られた方向に弾性変形し、挟持したコードを開放する。そして、イヤホン１００等は、コード保持具１から取り外される。
これにより、使用者は、イヤホン１００等をコード保持具１から取り外すときは、単にコードの一端を引っ張るだけで、イヤホン１００等をコード保持具１から取り外すことができる。
よって、使用者は、コード保持具１からイヤホン１００等を容易に取り外すことができる。
【００４４】
したがって、イヤホン又はヘッドホンのコードが収納時に絡まったり、他の収納物に引っ掛かったりすることを防止するとともに、イヤホン又はヘッドホンを容易に取り外すことができるコード保持具を提供できる。
【００４５】
また、近年、携帯電子機器に付属されたイヤホンに代え、より高音質で高価なイヤホンを使用する使用者も増えている。
図５は、前記実施形態に係るコード保持具１にイヤホン１００のコードを図１に示す例とは異なる方法でイヤホン１００を保持している状態を示す図である。
高価なイヤホンを使用する使用者は、コード保持具１を開状態とし、イヤホンの本体（図５中破線で示す部分）を、一対の外装板１０及びクッション部３０の間に配置し、コード保持具１を閉状態とする。これにより、図５に示す状態となり、イヤホンの本体の保護も可能となり、収納時に高価なイヤホンの本体が破損するのを防止できる。
【００４６】
図６は、前記実施形態に係るコード保持具１にイヤホン１００のコードを図１に示す例とは異なる方法で巻き付け、イヤホン１００を保持している状態を示す図である。
使用者は、イヤホン１００等を収納するときには、コード保持具１を開状態とし、イヤホン１００等のコードを、一方の外装板１０の第３辺１１３及び第４辺１１４で折り返し、巻き付けていく。
【００４７】
ここで、イヤホン１００等には、コードの中間部分に、携帯電子機器のコントローラやマイク１５０（以下、マイク１５０等とも言う。）が設けられているものがある。このようなイヤホン１００等の場合、外装板１０の第３辺１１３及び第４辺１１４にコードを巻き付けていくと、マイク１５０等が第３辺１１３又は第４辺１１４に当り、第３辺１１３又は第４辺１１４で折り返せない場合がある。
このような場合、コード保持具１によれば、３つの辺側が開放されているので、使用者は、コードを、一旦、第２辺１１２で外側又は内側に折って、第３辺１１３又は第４辺１１４にくる位置を調整することで、引き続き第３辺１１３及び第４辺１１４で折り返し、巻き付けていくことができる。
そして、使用者は、コード保持具１を閉状態とし、一対のクッション部３０によりコードの少なくとも一部を挟持する。これにより、図６に示す状態となる。
【００４８】
また、使用者は、イヤホン１００等をコード保持具１から取り外すときは、イヤホン１００等がコード保持具１に保持された閉状態のまま、第２辺側１１２からコードの一端を引っ張る。これにより、クッション部３０はコードが引っ張られた方向に弾性変形し、挟持したコードを開放し、コードは第３辺１１３及び第４辺１１４から第２辺側１１２に順次ほぐれ、イヤホン１００等はコード保持具１から取り外される。
【００４９】
したがって、イヤホン又はヘッドホンのコードの中間部分に、携帯電子機器のコントローラやマイクが設けられていても、コードを適切に保持しつつ、イヤホン又はヘッドホンを容易に取り外すことができるコード保持具を提供できる。
【００５０】
また、コード保持具１によれば、図２に示すように、開状態において、一方の外装板１０に設けられたクッション部３０に携帯電子機器２００の側縁２０１を載置し、他方の外装板１０に設けられたクッション部３０で携帯電子機器２００の背面部２０２を支持させることができる。
なお、クッション部３０が一対の外装板１０の対向面１１０のいずれか一方にしか設けられていない場合、コード保持具１によれば、開状態において、一方の外装板１０に設けられたクッション部３０に携帯電子機器２００の側縁２０１を載置し、他方の外装板１０で携帯電子機器２００の背面部２０２を支持させることができる。
これにより、使用者は、移動時において、閉状態のコード保持具１によりイヤホン１００等のコードを保持し、例えば、着席時において、コード保持具１を開状態にし、表示部２０３が見易い角度に携帯電子機器２００を、コード保持具１に立て掛けることができる。
【００５１】
次に、本実施形態に係るコード保持具１の変形例について説明する。
図７は、前記実施形態の変形例に係るコード保持具１Ａに、携帯電子機器２００が収容され、閉状態において、イヤホン１００を保持している状態を示す図である。
図８は、図７中ＡＡ’線における前記実施形態の変形例に係るコード保持具１Ａの断面図を示す。
【００５２】
コード保持具１Ａは、携帯電子機器収容部１３を備える点が、コード保持具１と異なる。また、コード保持具１Ａは、携帯電子機器２００の形状に合わせ、四隅のコーナーが円弧形状に形成されている点が、コード保持具１と異なる。
【００５３】
図８に示すように、コード保持具１Ａは、閉状態において互いに対向する外装板１０及び１０Ａと、ヒンジ部２０と、一対のクッション部３０と、を備える。
外装板１０Ａは、水平部１１の中央部分に、携帯電子機器２００を収容する携帯電子機器収容部１３が形成されている。
【００５４】
携帯電子機器収容部１３は、上方が開放され、上端縁が水平部１１に連なり、携帯電子機器２００の外形と略同じ大きさの内部空間を有する箱状体に形成された箱部１３１（図８参照）と、外装板１０Ａの第３辺１１３（図７参照）側において、水平部１１から携帯電子機器収容部１３側に水平に突出する突起１３２（図７参照）と、を備える。
【００５５】
箱部１３１の側壁１３１ａには、外装板１０Ａにおいて、突起１３２が形成された第３辺１１３（図７参照）と対向する第４辺１１４（図７参照）側において、イヤホン１００が挿通される孔１３１ｂが形成されている。
孔１３１ｂは、携帯電子機器２００が携帯電子機器収容部１３に収容されたときに、イヤホン１００（図７参照）の差し込み口が配置される位置に形成されている。
【００５６】
前記実施形態の変形例に係るコード保持具１Ａによれば、使用者は、以下の手順で携帯電子機器２００を携帯電子機器収容部１３に収容する。
使用者は、イヤホン１００を外した携帯電子機器２００を、その下端側から箱部１３１に挿入し、その下端を突起１３２の下に入れてから、全体を箱部１３１に挿入する。そして、イヤホン１００のジャックを、孔１３１ｂに挿入し、携帯電子機器２００の差し込み口に挿入する。
これにより、携帯電子機器２００は、その下端側が突起１３２に抑えられ、その上端側が孔１３１ｂに挿入されたイヤホン１００のジャックにより抑えられるので、携帯電子機器収容部１３から脱落することがない。
【００５７】
したがって、イヤホン又はヘッドホンのコードが収納時に絡まったり、他の収納物に引っ掛かったりすることを防止するとともに、イヤホン又はヘッドホンを容易に取り外すことができ、更に、携帯電子機器も収容できるコード保持具を提供できる。
【００５８】
なお、本発明は前記実施形態に限定されるものではなく、本発明の目的を達成できる範囲での変形、改良等は本発明に含まれるものである。
【符号の説明】
【００５９】
１      コード保持具
１０    外装板
１１    対向面
２０    ヒンジ部
３０    クッション部
１００  イヤホン
【図１】
2015032838.tif 000003
【図２】
2015032838.tif 000004
【図３】
2015032838.tif 000005
【図４】
2015032838.tif 000006
【図５】
2015032838.tif 000007
【図６】
2015032838.tif 000008
【図７】
2015032838.tif 000009
【図８】
2015032838.tif 000010